【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
無線通信ネットワーク（３００）の１つ以上の上りリンク制御チャネル・リソースにおいて制御データを送信する方法であって、
無線デバイス（２００，１０００）が、ネットワーク・ノード（１００，１１００）から、前記無線デバイスのために構成された下りリンク・コンポーネント・キャリアの集合に関する情報を受信すること（５１０）と、
前記無線デバイス（２００，１０００）が、ネットワーク・ノード（１００，１１００）から、前記１つ以上の上りリンク制御チャネル・リソースの指示を受信すること（５２０）と、
前記無線デバイス（２００，１０００）が、構成された下りリンク・コンポーネント・キャリアの前記集合についての制御データを備える第１制御データを、前記１つ以上の上りリンク制御チャネル・リソースの一部にマッピングすること（５３０）と、
前記無線デバイス（２００，１０００）が、前記１つ以上の上りリンク制御チャネル・リソースの残り部分に第２制御データをマッピングすること（５４０）と、を有し、
前記第２制御データが、構成された下りリンク・コンポーネント・キャリアの前記集合のうちの１つの下りリンク・コンポーネント・キャリアにそれぞれが関連付けられた複数のレポートを備え、
複数のレポートが１つの上りリンク制御チャネル・リソースにマッピングされる、方法。
【請求項２】
請求項１に記載の方法であって、
前記無線デバイス（２００，１０００）が、ネットワーク・ノード（１００，１１００）から、前記指示された１つ以上の上りリンク制御チャネル・リソースに含まれるレポートの最大数の指示を受信することを更に有する、方法。
【請求項３】
請求項１又は２に記載の方法であって、
前記無線デバイス（２００，１０００）が、ネットワーク・ノード（１００，１１００）から、前記上りリンク制御チャネル・リソースのうちの１つに含まれるレポートの最大数の指示を受信することを更に有する、方法。
【請求項４】
請求項１乃至３の何れか１項に記載の方法であって、前記第２制御データが優先度ルールに従って順序付けされ、前記第２制御データの前記マッピングがこの順序付けに基づいて実行される、方法。
【請求項５】
請求項１乃至４の何れか１項に記載の方法であって、最高の優先度を有する第２制御データが、最大の残り部分を有する前記上りリンク制御チャネル・リソースの前記残り部分にマッピングされる、方法。
【請求項６】
請求項１乃至５の何れか１項に記載の方法であって、前記第１制御データが、前記構成された下りリンク・コンポーネント・キャリアについてのＨＡＲＱフィードバック及び／又は前記無線デバイス（２００，１０００）のスケジューリング要求を備える、方法。
【請求項７】
請求項１乃至６の何れか１項に記載の方法であって、前記上りリンク制御チャネル・リソースのうちの少なくとも１つが第１制御データによって完全に埋まるように第１制御データがマッピングされる、方法。
【請求項８】
請求項１乃至７の何れか１項に記載の方法であって、前記指示された１つ以上の上りリンク制御チャネル・リソースに第１制御データが均等に分配されるように第１制御データがマッピングされる、方法。
【請求項９】
請求項１乃至８の何れか１項に記載の方法であって、１つのレポートが複数の上りリンク制御チャネル・リソースにマッピングされる、方法。
【請求項１０】
無線通信ネットワーク（３００）の１つ以上の上りリンク制御チャネル・リソースにおいて制御データを受信する方法であって、
ネットワーク・ノード（１００，１１００）が、無線デバイス（２００，１０００）へ、前記無線デバイス（２００，１０００）のために構成された下りリンク・コンポーネント・キャリアの集合に関する情報を送信すること（６１０）と、
前記ネットワーク・ノード（１００，１１００）が、前記無線デバイス（２００，１０００）へ、前記１つ以上の上りリンク制御チャネル・リソースの指示を送信すること（６２０）と、
前記ネットワーク・ノード（１００，１１００）が、構成された下りリンク・コンポーネント・キャリアの前記集合についての制御データを備える第１制御データを、前記１つ以上の上りリンク制御チャネル・リソースの一部にマッピングすること（６３０）と、
前記ネットワーク・ノード（１００，１１００）が、前記１つ以上の上りリンク制御チャネル・リソースの残り部分に第２制御データをマッピングすること（６４０）と、を有し、
前記第２制御データが、構成された下りリンク・コンポーネント・キャリアの前記集合のうちの１つの下りリンク・コンポーネント・キャリアにそれぞれが関連付けられた複数のレポートを備え、
複数のレポートが１つの上りリンク制御チャネル・リソースにマッピングされる、方法。
【請求項１１】
請求項１０に記載の方法であって、
前記ネットワーク・ノード（１００，１１００）が、前記無線デバイス（２００，１０００）へ、前記指示された１つ以上の上りリンク制御チャネル・リソースに含まれるレポートの最大数の指示を送信することを更に有する、方法。
【請求項１２】
請求項１０又は１１に記載の方法であって、
前記ネットワーク・ノード（１００，１１００）が、前記無線デバイス（２００，１０００）へ、前記上りリンク制御チャネル・リソースのうちの１つに含まれるレポートの最大数の指示を送信することを更に有する、方法。
【請求項１３】
請求項１０乃至１２の何れか１項に記載の方法であって、前記第２制御データが優先度ルールに従って順序付けされ、前記第２制御データの前記マッピングがこの順序付けに基づいて実行される、方法。
【請求項１４】
請求項１０乃至１３の何れか１項に記載の方法であって、最高の優先度を有する第２制御データが、最大の残り部分を有する前記上りリンク制御チャネル・リソースの前記残り部分にマッピングされる、方法。
【請求項１５】
請求項１０乃至１４の何れか１項に記載の方法であって、前記第１制御データが、前記構成された下りリンク・コンポーネント・キャリアについてのＨＡＲＱフィードバック及び／又は前記無線デバイスのスケジューリング要求を備える、方法。
【請求項１６】
請求項１０乃至１５の何れか１項に記載の方法であって、前記上りリンク制御チャネル・リソースのうちの少なくとも１つが第１制御データによって完全に埋まるように第１制御データがマッピングされる、方法。
【請求項１７】
請求項１０乃至１６の何れか１項に記載の方法であって、前記指示された１つ以上の上りリンク制御チャネル・リソースに第１制御データが均等に分配されるように第１制御データがマッピングされる、方法。
【請求項１８】
請求項１０乃至１７の何れか１項に記載の方法であって、１つのレポートが複数の上りリンク制御チャネル・リソースにマッピングされる、方法。
【請求項１９】
無線通信ネットワーク（３００）の１つ以上の上りリンク制御チャネル・リソースにおいて制御データを送信するための無線デバイス（２００，１０００）であって、
ネットワーク・ノード（１００，１１００）から、前記無線デバイスのために構成された下りリンク・コンポーネント・キャリアの集合に関する情報を受信し（５１０）、
ネットワーク・ノード（１００，１１００）から、前記１つ以上の上りリンク制御チャネル・リソースの指示を受信し（５２０）、
構成された下りリンク・コンポーネント・キャリアの前記集合についての制御データを備える第１制御データを、前記１つ以上の上りリンク制御チャネル・リソースの一部にマッピングし（５３０）、
前記１つ以上の上りリンク制御チャネル・リソースの残り部分に第２制御データをマッピングする（５４０）ように構成されており、
前記第２制御データが、構成された下りリンク・コンポーネント・キャリアの前記集合のうちの１つの下りリンク・コンポーネント・キャリアにそれぞれが関連付けられた複数のレポートを備え、
複数のレポートが１つの上りリンク制御チャネル・リソースにマッピングされる、無線デバイス（２００，１０００）。
【請求項２０】
無線通信ネットワーク（３００）の１つ以上の上りリンク制御チャネル・リソースにおいて制御データを受信するためのネットワーク・ノード（１００，１１００）であって、
無線デバイス（２００，１０００）へ、前記無線デバイス（２００，１０００）のために構成された下りリンク・コンポーネント・キャリアの集合に関する情報を送信し（６１０）、
前記無線デバイス（２００，１０００）へ、前記１つ以上の上りリンク制御チャネル・リソースの指示を送信し（６２０）、
構成された下りリンク・コンポーネント・キャリアの前記集合についての制御データを備える第１制御データを、前記１つ以上の上りリンク制御チャネル・リソースの一部にマッピングし（６３０）、
前記１つ以上の上りリンク制御チャネル・リソースの残り部分に第２制御データをマッピングする（６４０）ように構成されており、
前記第２制御データが、構成された下りリンク・コンポーネント・キャリアの前記集合のうちの１つの下りリンク・コンポーネント・キャリアにそれぞれが関連付けられた複数のレポートを備え、
複数のレポートが１つの上りリンク制御チャネル・リソースにマッピングされる、ネットワーク・ノード（１００，１１００）。
【請求項２１】
無線通信ネットワークの１つ以上の上りリンク制御チャネル・リソースにおいて制御データを送信するための無線デバイス（２００，１０００）の少なくとも１つのプロセッサ（１０５０）によって実行されるプログラム・コードを備えるコンピュータ・プログラムであって、前記プログラム・コードの実行が、前記少なくとも１つのプロセッサ（１０５０）に、請求項１乃至９の何れか１項に記載の方法のステップを実行させる、コンピュータ・プログラム。
【請求項２２】
無線通信ネットワークの１つ以上の上りリンク制御チャネル・リソースにおいて制御データを受信するためのネットワーク・ノード（１００，１１００）の少なくとも１つのプロセッサ（１１５０）によって実行されるプログラム・コードを備えるコンピュータ・プログラムであって、前記プログラム・コードの実行が、前記少なくとも１つのプロセッサ（１１５０）に、請求項１０乃至１８の何れか１項に記載の方法のステップを実行させる、コンピュータ・プログラム。